(57)【要約】【課題】ねじ込み或は押込み操作を要することなく、簡単、かつ軽い操作力で着脱し得る噴射ヘッド用カバーキャップを提供する。【解決手段】カバーキャップ基部が、外径を段差状に小さくする後退周面部１２、１３を備えて肩カバー１０として形成される。後退周面部及１２に、傾斜する複数のガイド部１７を間欠的に形成し、カバーキャップ本体２０の内周面に、後退周面部及１２に接面し、ガイド部１７に沿って滑動する従動部２３が突設される。カバーキャップ本体２０を後退周面部及１２の階段面１１ａに着座させるように、従動部２３がガイド部１７を滑動して下降した状態で、回転操作された従動部２３を拘束するストッパ部１７が、ガイド部１７の背後に形成される。隣合うガイド部１７間の上方領域に係止爪１８が突設されると共に、従動部２３の上方領域に、従動部２３がストッパ部１７ａで拘束された状態で係止爪１８により抜止めされる被係止爪２７が突出される。【選択図】          図１
2004224390.tif 000002
【特許請求の範囲】
【請求項１】
容器頭部に押下げ操作されるように突設された噴射ヘッドを包囲するカバーキャップ基部に、噴射ヘッドを上方からカバーするカバーキャップ本体が着脱自在に装着される噴射ヘッド用カバーキャップにおいて、
カバーキャップ基部が、上方へ向かうのに伴って外径を段差状に小さくする第１及び第２の環状の周面部を備えると共に、この第１の周面部に、一方の回転方向に向けて徐々に下降するように傾斜し、かつカバーキャップ本体の基端部分の肉厚よりも薄い厚み分だけ突出した複数のガイド部を間欠的に形成し、また前記基端部分の内周面に、前記第１の周面部に接面し、かつ前記ガイド部に沿って滑動する従動部がそれぞれ突設され、
前記カバーキャップ本体の下端を前記第１の周面部の下端に位置する突出面に着座させるように、前記従動部が前記ガイド部を滑動して下降した状態で、前記ガイド部から離反するように前記一方の回転方向に回転操作された前記従動部を拘束するストッパ部が、前記ガイド部の背後にそれぞれ形成され、
前記第２の周面部における隣合うガイド部間の上方領域に、係止爪がそれぞれ突設されると共に、前記カバーキャップ本体の内周面における前記従動部の上方領域に、前記従動部が前記ストッパ部で拘束された状態で前記係止爪により抜止めされる被係止爪が、前記第２の周面部に向けてそれぞれ突出されたことを特徴とする噴射ヘッド用カバーキャップ。
【請求項２】
カバーキャップ基部が、環状の周面基部と、この周面基部から上方へ向かうのに伴って外径を段差状に順に小さくする第１の周面部としての中段の後退周面部及び第２の周面部としての上段の後退周面部とを備えることにより、容器の肩部をカバーする肩カバーとして形成され、前記周面基部の上端及び前記中段の後退周面部の下端間に突出面としての階段面が形成され、
前記中段の後退周面部に、４個以上の鋸歯状ガイド部が等間隔で形成されると共に、前記鋸歯状ガイド部の立上り部がストッパ部として形成され、また従動部が下向きの半円状に形成されたことを特徴とする請求項１記載の噴射ヘッド用カバーキャップ。
【請求項３】
第１の周面部の下端に位置する突出面が、容器の肩部であることを特徴とする請求項１記載の噴射ヘッド用カバーキャップ。
【請求項４】
カバーキャップ基部が、容器の肩部をカバーする肩カバーとして形成されたことを特徴とする請求項１記載の噴射ヘッド用カバーキャップ。
【請求項５】
カバーキャップ本体及びカバーキャップ基部の周面基部に、隣合うガイド部間に従動部を上方から侵入させる位置を指示するマークが形成されていることを特徴とする請求項１乃至請求項４のいずれか記載の噴射ヘッド用カバーキャップ。
【請求項６】
カバーキャップ基部の上端に、噴射ヘッドを突出させる開口部を備えた上面周辺部が形成されると共に、前記噴射ヘッドが前記開口部から抜けるのを拘束するように、前記噴射ヘッドの外周に、前記開口部の口径よりも大きな外径のフランジ部が突設されていることを特徴とする請求項１乃至請求項５のいずれか記載の噴射ヘッド用カバーキャップ。
【請求項７】
請求項１乃至請求項６のいずれか記載の噴射ヘッド用カバーキャップを備えたことを特徴とするカバーキャップ付エアゾール容器。
【請求項８】
カバーキャップ本体が着脱自在に装着されるカバーキャップ基部が、エアゾール容器の肩部及びその先端部に巻締めされたマウンティングカップの巻締め部を包囲する環状の周面基部と、この周面基部から上方へ向かうのに伴って外径を段差状に順に小さくする第１の周面部としての中段の後退周面部及び第２の周面部としての上段の後退周面部とを備えることにより、前記肩部をカバーする肩カバーとして形成され、
前記周面基部が、前記巻締め部に外係合する凸部を有する内周面部を備えることにより二重層状に形成されると共に、前記内周面部を切欠いた切欠端部を前記周面基部に連結させることにより、部分的には単層状になっていることを特徴とする請求項７記載のカバーキャップ付エアゾール容器。
【発明の詳細な説明】
【０００１】
【発明の属する技術分野】
本発明は、容器頭部に押下げ操作されるように突設された噴射ヘッドを包囲するカバーキャップ基部に、噴射ヘッドを上方からカバーするカバーキャップ本体が着脱自在に装着される噴射ヘッド用カバーキャップ及びそのカバーキャップ付エアゾール容器に関するものである。
【０００２】
【従来の技術】
エアゾール容器のカバーキャップ基部としての肩カバーに噴射ボタンを上方からカバーするカバーキャップ本体を装着する場合、例えば特許文献１に開示されているように、カバーキャップ本体の下端部の突出部を肩カバーの外周面に形成された凹部に係合させるのが通常である。また、上下操作させる吐出パイプを備えたポンプ用噴射ヘッドが容器の口部に取付けられる場合でも、カバーキャップは例えば特許文献２に開示されているように凹凸係合させるのが通常である。
【０００３】
【特許文献１】
特開平１０−１６７３５６号公報
【特許文献２】
実開平６−４２７５６号公報
【０００４】
【発明が解決しようとする課題】
このような凹凸係合の場合、カバーキャップ本体の装着時には上方から押込み、取外す場合にはわずかに傾倒させて離脱し易いようにした状態で抜く必要がある。一方、押込み式でなく慣用のねじ込み式にしようとすると、着脱時にいずれも大きな回転量を伴う回転操作が必要になる。
【０００５】
本発明は、このような点に鑑みて、ねじ込み或は押込み操作を要することなく、簡単、かつ軽い操作力で着脱し得る噴射ヘッド用カバーキャップ及びそのカバーキャップ付エアゾール容器を提供することを目的とする。
【０００６】
【課題を解決するための手段】
本発明は、この目的を達成するために、請求項１により、容器頭部に押下げ操作されるように突設された噴射ヘッドを包囲するカバーキャップ基部に、噴射ヘッドを上方からカバーするカバーキャップ本体が着脱自在に装着される噴射ヘッド用カバーキャップにおいて、カバーキャップ基部が、上方へ向かうのに伴って外径を段差状に小さくする第１及び第２の環状の周面部を備えると共に、第１の周面部に、一方の回転方向に向けて徐々に下降するように傾斜し、かつカバーキャップ本体の基端部分の肉厚よりも薄い厚み分だけ突出した複数のガイド部を間欠的に形成し、また基端部分の内周面に、第１の周面部に接面し、かつガイド部に沿って滑動する従動部がそれぞれ突設され、カバーキャップ本体の下端を第１の周面部の下端に位置する突出面に着座させるように、従動部がガイド部を滑動して下降した状態で、ガイド部から離反するように一方の回転方向に回転操作された従動部を拘束するストッパ部が、ガイド部の背後にそれぞれ形成され、第２の周面部における隣合うガイド部間の上方領域に、係止爪がそれぞれ突設されると共に、カバーキャップ本体の内周面における従動部の上方領域に、従動部がストッパ部で拘束された状態で係止爪により抜止めされる被係止爪が、第２の周面部に向けてそれぞれ突出されたことを特徴とする。
【０００７】
従動部が上方からガイド部間に侵入してガイド部に当接した状態で、カバーキャップ本体を下方へ押すと、従動部がガイド部に沿って滑動してカバーキャップ本体の下端が突出面に着座する。さらにカバーキャップ本体が一方の回転方向に回転操作されると、従動部がストッパ部て拘束されると共に被係止爪が係止爪の裏側位置を占めて抜止めされる。カバーキャップ本体を一方の回転方向と逆に回転操作すると、従動部がガイド部に沿って上方へ滑動してカバーキャップ本体が取外される。
【０００８】
請求項２により、カバーキャップ基部が、環状の周面基部と、この周面基部から上方へ向かうのに伴って外径を段差状に順に小さくする第１の周面部としての中段の後退周面部及び第２の周面部としての上段の後退周面部とを備えることにより、容器の肩部をカバーする肩カバーとして形成され、周面基部の上端及び中段の後退周面部の下端間に突出面としての階段面が形成され、中段の後退周面部に、４個以上の鋸歯状ガイド部が等間隔で形成されると共に、鋸歯状ガイド部の立上り部がストッパ部として形成され、また従動部が下向きの半円状に形成されることにより、カバーキャップ基部として機能する肩カバーの周面基部の階段面に、カバーキャップ本体の下端が着座する。また、４個以上の等間隔の鋸歯状ガイド部は幾何学模様となる。
【０００９】
請求項３により、第１の周面部の下端に位置する突出面が、容器の肩部であることにより、カバーキャップ本体は肩部に着座した状態でカバーキャップ基部に装着される。請求項４により、カバーキャップ基部が、容器の肩部をカバーする肩カバーとして形成されることにより、カバーキャップ基部は肩部をカバーする機能も備える。請求項５により、カバーキャップ本体及びカバーキャップ基部の周面基部に、隣合うガイド部間に従動部を上方から侵入させる位置を指示するマークが形成されていることにより、カバーキャップ本体の従動部とガイド部間の位置関係が、カバーキャップ本体の着脱用に指示される。
【００１０】
請求項６により、カバーキャップ基部の上端に、噴射ヘッドを突出させる開口部を備えた上面周辺部が形成されると共に、噴射ヘッドが開口部から抜けるのを拘束するように、噴射ヘッドの外周に、開口部の口径よりも大きな外径のフランジ部が突設されていることにより、容器頭部から離脱した噴射ヘッドのフランジ部が開口部に拘束される。
【００１１】
請求項７により、前述の構成による噴射ヘッド用カバーキャップは、特にエアゾール容器に付属させることができる。その際、請求項８により、カバーキャップ基部が、エアゾール容器の肩部及びその先端部に巻締めされ、かつ噴射ヘッドが嵌着されるステムを突設させるマウンティングカップの巻締め部を包囲する環状の周面基部と、この周面基部から上方へ向かうのに伴って外径を段差状に順に小さくする第１の周面部としての中段の後退周面部及び第２の周面部としての上段の後退周面部とを備えることにより、肩部をカバーする肩カバーとして形成され、周面基部が、巻締め部に外係合する凸部を有する内周面部を備えることにより二重層状に形成されると共に、内周面部を切欠いた切欠端部を周面基部に連結させることにより、部分的には単層状になっていることにより、カバーキャップ基部は、通常通りマウンティングカップの巻締め部に装着されると共に、廃棄時に単層部分を押して撓ませると、連動して内周面部も撓んで巻締め部から離脱する。
【００１２】
【発明の実施の形態】
図１乃至図５を基に本発明の実施の形態による噴射ヘッド用カバーキャップを噴射ボタンを備えたエアゾール容器に適用した場合について説明する。円筒状エアゾール容器１の上部に形成された円錐台状肩部１ａの先端部には、ステム３付きの弁構造を内部に保持したマウンティングカップ２が巻締めされて、このマウンティングカップから上方付勢状態で突出するステム３には、噴射ヘッド本体としての噴射ボタン９が、その内部のノズルの基端部で嵌着することにより、押し下げ操作で横向きの噴射口９ａからエアゾール容器１の内容物を噴射する。さらに、このエアゾール容器にはカバーキャップが付属し、カバーキャップ基部として肩部１ａをカバーする例えば白色に着色された合成樹脂製の肩カバー１０と、この肩カバーに着脱自在に装着されて噴射ボタン９を上方から囲む透明な合成樹脂製のカバーキャップ本体２０とで構成されている。
【００１３】
肩カバー１０は、環状の周面部として、肩部１ａ及びその先端部に巻締めされたマウンティングカップ２の巻締め部２ａの周囲を包囲する周面基部１１と、この周面基部からさらに上方へ向かうのに伴って外径を段差状に順に小さくする中段の後退周面部１２及び上段の後退周面部１３とを備える。周面基部１１は、図４に示すように、巻締め部２ａに外係合する凸部１４ａを下端部に突設され、かつ１８０°より広い範囲に連続する円弧状の内周面部１４が内側に形成され、二重層状に形成されている。また、この内周面部は、図５に示すように、約３０°の範囲で切欠かれて廃止され、周面基部１１を部分的に単層状に形成しており、この単層部分１４ｂの両側の端部に、内周面部１４の切欠端部１４ｃが周面基部１１にそれぞれ連結されている。
【００１４】
後退周面部１３の上端には、噴射ボタン９を突出させる開口部１５ａを備えた環状の上面周辺部１５が形成されている。開口部１５ａの口径は、円筒状の噴射ボタン９の外周下端に外方へ向けて突設された環状のフランジ部９ｂの外径よりも僅かに小さく設定されている。これにより、肩カバー１０は、ステム３に噴射ボタン９が嵌着された状態で、内周面部１４の凸部１４ａで巻締め部２ａに外係合して装着される。
【００１５】
カバーキャップ本体２０の周面部２１の内径は、後退周面部１２の外径に対応して接面し、外径は周面基部１１の外径に略相当し、その上端及び後退周面部１２の下端間に形成される水平の階段面１１ａに着座するように設定されると共に、外周面には、回転操作時の滑り止めとして８本の縦方向のリブ２１ａが等間隔で形成されている。周面部２１及び肩カバー１０の外周面は上方へ向けて僅かに小さく設定されている。
【００１６】
中段の後退周面部１２には、図２に示すように、時計方向へ向けて徐々に下降して階段面１１ａに向かうように傾斜し、かつ後退周面部１２の後退量よりも少ない厚み分だけ突出した８個の鋸歯状のガイド部１７が間欠的に等間隔で突設されている。対応して、カバーキャップ本体２０の後退周面部１２の外周面に接面する基端部分２０ａの内周面には、図３に示すように、ガイド部１７に当接する下向きの半円状の従動部２３が形成されている。これらの従動部は、その半円部の直径間を結ぶ境界ライン２４ａの下側の環状部分において、この半円部を残して肉薄にすることにより凹部２４を形成して、その残りの突出部分で形成されている。
【００１７】
ガイド部１７の背後には、従動部２３がガイド部１７を滑動して下降することによりカバーキャップ本体２０の下端が階段面１１ａに着座した状態で、カバーキャップ本体２０を僅かに時計方向へ回転操作させる回転操作領域１７ｂが形成されている。即ち、隣合う鋸歯状ガイド部１７は、このような間隔で離間すると共に、その立上がり部分は従動部２３の回動を拘束するストッパ部１７ａとして機能する。
【００１８】
上段の後退周面部１３の上端部分におけるストッパ部１７ａの上方からの反時計方向領域には、後退周面部１２より突出しない突出量で係止爪１８が突設されている。この円弧ライン状の係止爪の円周方向の幅は、半円状従動部２３を上方から侵入させ得るように、隣同士の間隔が従動部２３の最大幅よりも僅かに広くなるように設定され、両側には丸みが与えられている。対応して、カバーキャップ本体２０の内周面における従動部２３の上方領域には、その最大幅よりも僅かに幅狭の円弧ライン状の被係止爪２７が突設されている。この被係止爪の高さ位置は、境界ライン２４ａよりも僅かに上方で、かつカバーキャップ本体２０の下端２１ｂが階段面１１ａに着座した状態で、係止爪１８の裏面に接近するかもしくは押圧されることなく軽く接触するように設定されている。被係止爪２７の突出量は、後退周面部１３に衝突することなく係止爪１８の裏面に達するように設定されている。
【００１９】
隣合う２個の係止爪１８の中間位置下方の周面基部１１の外周面には、１本の縦線状のマーク１９が突設されている。これにより、カバーキャップ本体２０の従動部２３の中間位置を指示するマークとして機能するいずれかのリブ２１ａをマーク１９に揃えると、従動部２３が係止爪１８間、即ちガイド部１７の上方に位置設定される。
【００２０】
このように構成されたエアゾール容器１のカバーキャップの動作は次の通りである。カバーキャップ本体２０を肩カバー１０に装着する場合、そのいずれかのリブ２１ａをマーク１９に揃えて、各従動部２３を隣合う係止爪１８間に上方から挿入させると、図２の点線で示す従動部２３の挿入過程を経て、所属のガイド部１７に当接する。カバーキャップ本体２０をその重量に加えて軽く押込むと、カバーキャップ本体２０は各従動部２３が所属のガイド部１７に沿って滑動することにより下降する。カバーキャップ本体２０の下端２１ｂが階段面１１ａに当接した時点で、時計方向へ僅かに回転操作すると、各従動部２３は所属のストッパ部１７ａで拘束されると共に、各被係止爪２７が所属の係止爪１８の裏側に侵入して抜止めされる。このようなカバーキャップ本体２０の回転操作に際して、リブ２１ａは滑り止めとして機能する。
【００２１】
この装着状態で、カバーキャップ本体２０に反時計方向の衝撃が加わったとしても、従動部２３が立上がり勾配のガイド部１７に当接することにより外れることはない。上部へ衝撃が加わっても係止爪１８と被係止爪２７との嵌合によりカバーキャップ本体２０の離脱が拘束される。透明のカバーキャップ本体２０を通して、対称形状の幾何学模様の着色された鋸歯状ガイド部１７及び透明の半円状従動部２３の外周ライン等が内視されて特異な意匠を呈する。
【００２２】
カバーキャップ本体２０を肩カバー１０から取外す場合、カバーキャップ本体２０を反時計方向へ回転操作すると、各従動部２３は所属のガイド部１７を滑動することにより上昇して各被係止爪２７を所属の係止爪１８から離脱させ、各従動部２３が隣合う係止爪１８間の間隙に位置した状態で上方へ抜くことができる。この取外し位置は、リブ２１ａがマーク１９に揃うことにより確認できる。各被係止爪２７は、所属の係止爪１８により上方変位を抑制されて抜止めされているだけであり、回転操作力は僅かで済む。
【００２３】
このようなエアゾール容器１の使用中、噴射ボタン９がステム３から離脱した場合、そのフランジ部９ｂが肩カバー１０の開口部１５ａの周辺部で拘束される。したがって、特に夜間屋外での使用時にも噴射ボタン９の紛失が防止される。また、エアゾール容器１の廃棄に際して、カバーキャップ本体２０を装着したまま或は取外した状態で、肩カバー１０は、その単層部分１４ｂを押すと、連動して内周面部１４も撓んで巻締め部２ａから部分的に離脱することにより、容易にエアゾール容器１から取外すことができる。
【００２４】
尚、以上説明したカバーキャップは、前述の肩カバー１０の上面周辺部１５に、上向きの噴射口及び操作部を有するパイプ状ノズルをインテグラルヒンジ部で連結したエアゾール容器のスパウトとして構成された噴射ヘッドにも適用できる。
【００２５】
さらに、図６はポンプ用の噴射ヘッドに適用したカバーキャップを示すもので、前述のものと同一もしくは同等部分は同一符号で説明する。肩カバー３０は、容器５の周面より僅かに後退した周面部１２ｃ及び外径を段差状に小さくする後退周面部１３を備えている。また、その内周面部３５で容器５の口部６にねじ止めされることにより、操作部３７及びノズル３６が上設され、かつ内蔵のポンプ本体を押下げ操作で作動させる吐出パイプ３８を備えた噴射ヘッド３９が、口部６に装着されている。
【００２６】
この場合、肩カバー３０は周面基部を備えないことにより、肩部５ａの周辺部が周面部１２ｃからの突出面５ｂとして機能してカバーキャップ本体２０の下端を着座させる。また、容器５の外径がさらに大きい場合、カバーキャップ基部は噴射ヘッド３９に対応した外径に設定し、敢えて肩カバーとして構成しないでも良い。
【００２７】
【発明の効果】
請求項１の発明によれば、カバーキャップ本体が、僅かな力の押し下げ及び僅かな回転量の回転操作でカバーキャップ基部に抜止め状態で装着される。また、カバーキャップ本体を逆方向へ僅かな力で回転させるだけで自動的に上昇して取外し可能となる。請求項２の発明によれば、カバーキャップ本体の下端が肩カバーの周面基部に着座されると共に、ガイド部により幾何学模様の特異な意匠が構成される。特に、カバーキャップ本体を透明にすると、半円状の従動部と共に内視される。請求項３の発明によれば、カバーキャップ本体が容器の肩部に着座することにより、カバーキャップ基部の周面基部を廃止できる。請求項４の発明によれば、カバーキャップ基部が、容器の肩部をカバーする肩カバーとして構成されることにより、見栄えが確保される。請求項５の発明によれば、カバーキャップ本体の装着及び取外し位置が確認し易くなる。請求項６の発明によれば、単体の噴射ヘッドが容器頭部から離脱した場合でもカバーキャップ基部から抜けるのが拘束される。
【００２８】
請求項７の発明によれば、このような噴射ヘッド用カバーキャップは、頭部に噴射ヘッドとして噴射ボタン或はスパウトが設けられたエアゾール容器に付属させることができる。その際、請求項８の発明によれば、エアゾール容器のマウンティングカップの巻締め部に装着された肩カバーとしてのカバーキャップ基部が、廃棄時に簡単な操作でエアゾール容器から取り外される。
【図面の簡単な説明】
【図１】本発明の実施の形態によるエアゾール容器に付属の噴射ヘッド用カバーキャップの斜視図である。
【図２】同カバーキャップの肩カバーの側面図である。
【図３】同カバーキャップの本体の拡大した部分断面図である。
【図４】同カバーキャップの装着時の断面図である。
【図５】図４のＡ−Ａ線断面図である。
【図６】別の実施の形態による噴射ヘッド用カバーキャップの概略断面図である。
【符号の説明】
１  エアゾール容器
１ａ  肩部
２  マウンティングカップ
３  ステム
６  口部
９  噴射ボタン
９ｂ  フランジ部
１０，３０  肩カバー
１１  肩カバーの周面基部
１１ａ  階段面
１２，１３  肩カバーの後退周面部
１２ｃ  周面部
１４ｂ  単層部分
１７  ガイド部
１７ａ  ストッパ部
１８  係止爪
１９  マーク
２０  カバーキャップ本体
２０ａ  カバーキャップ本体の基端部分
２１  カバーキャップ本体の周面部
２１ａ  リブ
２３  従動部
２４  凹部
２７  被係止爪
３９  噴射ヘッド
【図１】
2004224390.tif 000003
【図２】
2004224390.tif 000004
【図３】
2004224390.tif 000005
【図４】
2004224390.tif 000006
【図５】
2004224390.tif 000007
【図６】
2004224390.tif 000008